(57)【要約】【課題】電波信号の伝送系路上において電波障害が生じても、自動機器との交信が妨げられることのない機器管理システムおよび機器管理方法を提供する。【解決手段】本発明は、建築物に設置され、または据え置かれている自動機器群を統合的に管理する機器管理システムにおいて、無線通信回線を通じることにより、各自動機器について、搭載機能の動作状態に関する状態情報を送信し、搭載機能の操作指示に関する指示情報を受信する機器通信手段と、この機器通信手段と通信することにより、前記状態情報を受信して搭載機能を監視しつつ、そのときの動作状態に応じた指示情報を送信して制御し、かつ、一の自動機器の機器通信手段と直接に通信できなくなった場合には、他の自動機器の機器通信手段を通じて当該一の自動機器の搭載機能を制御する管理サーバー手段とを有している。【選択図】      図１
2005039349.tif 000002
【特許請求の範囲】
【請求項１】
建築物に設置され、または据え置かれている自動機器群を統合的に管理する機器管理システムにおいて、
無線通信回線を通じることにより、各自動機器について、搭載機能の動作状態に関する状態情報を送信し、搭載機能の操作指示に関する指示情報を受信する機器通信手段と、
この機器通信手段と通信することにより、前記状態情報を受信して搭載機能を監視しつつ、そのときの動作状態に応じた指示情報を送信して制御し、かつ、一の自動機器の機器通信手段と直接に通信できなくなった場合には、他の自動機器の機器通信手段を通じて当該一の自動機器の搭載機能を制御する管理サーバー手段とを有していることを特徴とする機器管理システム。
【請求項２】
前記直接に通信できなくなった場合とは、一の自動機器が、管理サーバー手段の通信許容圏外にあるときか、または無線通信障害を被ったときであることを特徴とする請求項１に記載の機器管理システム。
【請求項３】
前記他の自動機器は、一の自動機器との物理的な関係が所定の条件を満たしていることを特徴とする請求項１または請求項２に記載の機器管理システム。
【請求項４】
前記一の自動機器は、初期状態において、管理サーバー手段と直接に通信できていることを特徴とする請求項１乃至請求項３のいずれかに記載の機器管理システム。
【請求項５】
前記無線通信回線は、いわゆるブルートゥース、特定小電力、微弱電波、ジグビーまたは無線ＬＡＮの通信様式に基づいていることを特徴とする請求項１乃至請求項４のいずれかに記載の機器管理システム。
【請求項６】
建築物に設置され、または据え置かれている自動機器群を統合的に管理する機器管理方法において、
無線通信回線を通じることにより、各自動機器について、搭載機能の動作状態に関する状態情報を送信し、搭載機能の操作指示に関する指示情報を受信する機器通信ステップと、
この機器通信ステップにおいて通信することにより、前記状態情報を受信して搭載機能を監視しつつ、そのときの動作状態に応じた指示情報を送信して制御し、かつ、一の自動機器の機器通信ステップにおいて直接に通信できなくなった場合には、他の自動機器の機器通信ステップにおいて当該一の自動機器の搭載機能を制御する管理サーバーステップとを有していることを特徴とする機器管理方法。
【請求項７】
前記直接に通信できなくなった場合とは、一の自動機器が、管理サーバーステップにおいて通信許容圏外にあるときか、または無線通信障害を被ったときであることを特徴とする請求項６に記載の機器管理方法。
【請求項８】
前記他の自動機器は、一の自動機器との物理的な関係が所定の条件を満たしていることを特徴とする請求項６または請求項７に記載の機器管理方法。
【請求項９】
前記一の自動機器は、初期状態において、管理サーバーステップで直接に通信できていることを特徴とする請求項６乃至請求項８のいずれかに記載の機器管理方法。
【請求項１０】
前記無線通信回線は、いわゆるブルートゥース、特定小電力、微弱電波、ジグビーまたは無線ＬＡＮの通信様式に基づいていることを特徴とする請求項６乃至請求項９のいずれかに記載の機器管理方法。
【請求項１１】
請求項６乃至請求項１０のいずれかに記載の機器管理方法をコンピューターに実行させるためのプログラム。
【請求項１２】
請求項６乃至請求項１０のいずれかに記載の機器管理方法をコンピューターに実行させるためのプログラムが記録されていることを特徴とするコンピューター読み取り可能な記録媒体。
【発明の詳細な説明】
【０００１】
【発明の属する技術分野】
本発明は、機器管理システムおよび機器管理方法に関し、たとえばホームオートメーション、ホームセキュリティのための電気機器に用いられる機器管理システムおよび機器管理方法に適用することができる。
【０００２】
【従来の技術】
従来より、家庭内の無線ＬＡＮ（ローカルエリアネットワーク）を通じることにより、留守中の戸締り、火災検知などを行うとともに家庭用の各種電気機器を制御し、ホームオートメーションを実現しつつホームセキュリティ、ホームセーフティを図るシステムが種々提案されている。
【０００３】
また、いわゆるブルートゥース様式（Ｔｈｅ  ＢｌｕｅｔｏｏｔｈＳｐｅｃｉａｌ  Ｉｎｔｅｒｅｓｔ  Ｇｒｏｕｐ（ＳＩＧ））に基づく無線通信素子を用い、屋内において、多様な機器群を統合的に操作可能にしたシステムが知られている。このブルートゥース様式によれば、たとえば、多種多様な電気機器について、各搭載機能をきわめて小さな消費電力の送受信素子によってリモート制御でき、しかも、適度な伝送速度を実現できるように構成される。
【０００４】
【発明が解決しようとする課題】
ところが、上述したような従来技術においては、次のような課題がある。
ホームセキュリティなどに用いられる必要性から、電波信号を比較的に小さな送信電力により伝送させている。したがって、電波信号の伝搬経路上に障害物が置かれるなど電波障害が生じると、電波信号の強度が弱められ、ときには遮蔽されて電気機器と交信できない状況が生じるおそれがある。
【０００５】
本発明は、上記事情に鑑みて為されたもので、電波信号の伝送系路上において電波障害が生じても、自動機器との交信が妨げられることのない機器管理システムおよび機器管理方法を提供することを目的とする。
【０００６】
【課題を解決するための手段】
上記目的を達成するために、本発明の請求項１記載の機器管理システムは、建築物に設置され、または据え置かれている自動機器群を統合的に管理する機器管理システムにおいて、
無線通信回線を通じることにより、各自動機器について、搭載機能の動作状態に関する状態情報を送信し、搭載機能の操作指示に関する指示情報を受信する機器通信手段と、
この機器通信手段と通信することにより、前記状態情報を受信して搭載機能を監視しつつ、そのときの動作状態に応じた指示情報を送信して制御し、かつ、一の自動機器の機器通信手段と直接に通信できなくなった場合には、他の自動機器の機器通信手段を通じて当該一の自動機器の搭載機能を制御する管理サーバー手段とを有していることを特徴とする。
【０００７】
請求項１に記載の発明においては、あらかじめ初期状態において、各機器通信手段の識別情報を無線通信回線上に登録しておく。自動機器などが通常の運用状態になると、自動機器の搭載機能が起動して動作状態が検出され、機器通信手段により、この動作状態が状態情報に編成されて識別情報とともに無線通信回線上に送出される。無線通信回線からは、指示情報が取得されて識別情報などが解読され、該当する搭載機能を制御することにより、その自動機器が所定の動作状態となるように操作される。このような運用状態において、一の自動機器の機器通信手段が、無線通信回線と接続できないときには、他の自動機器の機器通信手段と接続される。そして、他の自動機器の機器通信手段を通じて、編成された状態情報などが無線通信回線上に送出され、また、指示情報が取得される。送出された状態情報は、管理サーバー手段により、無線通信回線を通じて受信され、当該搭載機能の動作状態などが解読される。そして、そのときの動作状態に応じた所定の指示情報が編成され、無線通信回線および他の自動機器の機器通信手段を通じて、当該一の自動機器の機器通信手段に送信される。これにより、建築物において、自動機器群が多様な実装形態を採っているために、機器通信手段の実装環境に大な変化が生じていても、各機器通信手段と管理サーバー手段との間において、融通的な無線通信が行える構成のネットワークを構築できる。
【０００８】
請求項２に記載の機器管理システムは、請求項１に記載の発明において、前記直接に通信できなくなった場合とは、一の自動機器が、管理サーバー手段の通信許容圏外にあるときか、または無線通信障害を被ったときであることを特徴とする。
【０００９】
請求項２に記載の発明においては、通信許容圏外にあるときとして、たとえば、機器通信手段が移動させられて管理サーバー手段からきわめて離隔した位置にある場合が挙げられる。また、無線通信障害を被ったときとして、たとえば、管理サーバー手段との間に、電波信号を遮蔽、劣化させるような障害物が置かれていた場合が挙げられる。このように、電波信号の有意な成分が判別できなくなった場合である。
【００１０】
請求項３に記載の機器管理システムは、請求項１または請求項２に記載の発明において、前記他の自動機器は、一の自動機器との物理的な関係が所定の条件を満たしていることを特徴とする。
【００１１】
請求項３に記載の発明においては、物理的な関係として、たとえば、建築物における各機器通信手段の配置、機器通信手段どうしまたは管理サーバー手段との電波信号の伝搬経路などが挙げられる。また、所定の条件として、たとえば、これらの関係が初期状態と近似していることが挙げられる。
【００１２】
請求項４に記載の機器管理システムは、請求項１乃至請求項３のいずれかに記載の発明において、前記一の自動機器は、初期状態において、管理サーバー手段と直接に通信できていることを特徴とする。
【００１３】
請求項４に記載の発明においては、自動機器を登録するときに、管理サーバー手段により機器通信手段と直接に通信が行われる。
【００１４】
請求項５に記載の機器管理システムは、請求項１乃至請求項４のいずれかに記載の発明において、前記無線通信回線は、いわゆるブルートゥース、特定小電力、微弱電波、ジグビーまたは無線ＬＡＮの通信様式に基づいていることを特徴とする。
【００１５】
請求項５に記載の発明においては、多様な自動機器について、融通性のある無線ネットワークを安価に構成できる。
【００１６】
請求項６に記載の機器管理方法は、建築物に設置され、または据え置かれている自動機器群を統合的に管理する機器管理方法において、
無線通信回線を通じることにより、各自動機器について、搭載機能の動作状態に関する状態情報を送信し、搭載機能の操作指示に関する指示情報を受信する機器通信ステップと、
この機器通信ステップにおいて通信することにより、前記状態情報を受信して搭載機能を監視しつつ、そのときの動作状態に応じた指示情報を送信して制御し、かつ、一の自動機器の機器通信ステップにおいて直接に通信できなくなった場合には、他の自動機器の機器通信ステップにおいて当該一の自動機器の搭載機能を制御する管理サーバーステップとを有していることを特徴とする。
【００１７】
請求項６に記載の発明においては、あらかじめ初期状態において、各機器通信ステップでの識別情報を無線通信回線上に登録しておく。自動機器などが通常の運用状態になると、自動機器の搭載機能が起動して動作状態が検出され、機器通信ステップで、この動作状態が状態情報に編成されて識別情報とともに無線通信回線上に送出される。無線通信回線からは、指示情報が取得されて識別情報などが解読され、該当する搭載機能を制御することにより、その自動機器が所定の動作状態となるように操作される。このような運用状態において、一の自動機器の機器通信ステップにおいて、無線通信回線と接続できないときには、他の自動機器の機器通信ステップで接続される。そして、他の自動機器の機器通信ステップにおいて、編成された状態情報などが無線通信回線上に送出され、また、指示情報が取得される。送出された状態情報は、管理サーバーステップにおいて、無線通信回線を通じて受信され、当該搭載機能の動作状態などが解読される。そして、そのときの動作状態に応じた所定の指示情報が編成され、無線通信回線を通じて他の自動機器の機器通信ステップにおいて、当該一の自動機器の機器通信ステップで送信される。これにより、建築物において、自動機器群が多様な実装形態を採っているために、機器通信ステップでの実装環境に大な変化が生じていても、各機器通信ステップおよび管理サーバーステップにおいて、融通的な無線通信が行える構成のネットワークを構築できる。
【００１８】
請求項７に記載の機器管理方法は、請求項６に記載の発明において、前記直接に通信できなくなった場合とは、一の自動機器が、管理サーバーステップにおいて通信許容圏外にあるときか、または無線通信障害を被ったときであることを特徴とする。
【００１９】
請求項７に記載の発明においては、通信許容圏外にあるときとして、たとえば、機器通信ステップで移動させられて管理サーバーステップできわめて離隔した位置にある場合が挙げられる。また、無線通信障害を被ったときとして、たとえば、管理サーバーステップにおいて、電波信号を遮蔽、劣化させるような障害物が置かれていた場合が挙げられる。このように、電波信号の有意な成分が判別できなくなった場合である。
【００２０】
請求項８に記載の機器管理方法は、請求項６または請求項７に記載の発明において、前記他の自動機器は、一の自動機器との物理的な関係が所定の条件を満たしていることを特徴とする。
【００２１】
請求項８に記載の発明においては、物理的な関係として、たとえば、各機器通信ステップで建築物における配置、機器通信ステップまたは管理サーバーステップでの電波信号の伝搬経路などが挙げられる。また、所定の条件として、たとえば、これらの関係が初期状態と近似していることが挙げられる。
【００２２】
請求項９に記載の機器管理方法は、請求項６乃至請求項８のいずれかに記載の発明において、前記一の自動機器は、初期状態において、管理サーバーステップで直接に通信できていることを特徴とする。
【００２３】
請求項９に記載の発明においては、自動機器を登録するときに、管理サーバーステップにおいて直接に通信が行われる。
【００２４】
請求項１０に記載の機器管理方法は、請求項６乃至請求項９のいずれかに記載の発明において、前記無線通信回線は、いわゆるブルートゥース、特定小電力、微弱電波、ジグビーまたは無線ＬＡＮの通信様式に基づいていることを特徴とする。
【００２５】
請求項１０に記載の発明においては、多様な自動機器について、融通性のある無線ネットワークを安価に構成できる。
【００２６】
請求項１１に記載のプログラムは、請求項６乃至請求項１０のいずれかに記載の機器管理方法をコンピューターに実行させるためのプログラムである。
【００２７】
請求項１１に記載の発明においては、請求項６乃至請求項１０のいずれかに記載の機器管理方法をコンピューターに実行させることができる。
【００２８】
請求項１２に記載の記録媒体は、請求項６乃至請求項１０のいずれかに記載の機器管理方法をコンピューターに実行させるためのプログラムが記録されていることを特徴とするコンピューター読み取り可能な記録媒体である。
【００２９】
請求項１２に記載の発明においては、請求項６乃至請求項１０のいずれかに記載の機器管理方法をコンピューターに実行させることができる。
【発明の実施の形態】
以下、本発明の実施の形態を図面を参照して説明する。
図１は、本発明の実施の形態に係る機器管理システムの概略構成例を説明するための図である。
本システムは、住宅の空調装置など家庭電化製品、窓シャッターなど住宅機器、火災報知器などホームセーフティ機器、玄関ドア電気錠などホームセキュリティ機器その他の多様な自動機器ＨＡ１〜ＨＡｎについて、壁面設置型または移動型のモニター装置ＭＮ、携帯電話機４０、個人情報端末（ＰＤＡ：Ｐｅｒｓｏｎａｌ  Ｄｉｇｉｔａｌ  Ａｓｓｉｓｔａｎｔｓ）５０により、統合的に管理するものである。このために、各自動機器ＨＡ１〜ＨＡｎ内蔵の無線通信装置（機器通信手段）１０・・・１０と、いわゆるブルートゥース様式（ＴｈｅＢｌｕｅｔｏｏｔｈＳｐｅｃｉａｌ  Ｉｎｔｅｒｅｓｔ  Ｇｒｏｕｐ（ＳＩＧ））の無線通信回線ＮＷ１および家庭内ローカルエリアネットワークＮＷ２を通じて、これら自動機器ＨＡ１〜ＨＡｎの動作状態を携帯電話機４０などに通知し、各自動機器ＨＡ１〜ＨＡｎの搭載機能を操作させる管理サーバー（管理サーバー手段）２０とを有しているシステムに構成されている。
【００３０】
家庭内ローカルエリアネットワークＮＷ１は、通信事業者のアナログまたはデジタル通信線によりインターネット（および公衆通信回線）ＮＷ２と接続している。さらに、インターネットＮＷ２は、本システムの提供元である管理会社の通信ネットワークＮＷ３を通じて監視センター５０と接続可能になっており、当該管理会社により、住宅機器などの故障内容の確認、メインテナンス情報の通知と、ホームセキュリティおよびホームセーフティの遠隔監視サービスなどが提供されている。簡易には、無線通信装置１０および管理サーバー２０において、送受信を切り替える半二重通信でよいが、十分な通信速度が維持できれば全二重通信が可能である。また、このような住宅用に代えて、事業所用の自動機器を管理する場合には、当該事業所のイントラネット、エクストラネットと直接に、また、間接に接続させればよい。
【００３１】
無線通信装置１０は、自動機器ＨＡ１〜ＨＡｎの動作状態を搭載機能ごとに収集し、識別情報ＩＤ１〜ＩＤｎと合わせて状態情報に編成する状態情報化機能と、管理サーバー２０と接続することにより、この状態情報を無線通信回線ＮＷ１を通じて送信し、無線通信回線ＮＷ１から当該識別情報ＩＤ１〜ＩＤｎが含まれた指示情報を受信する送受信機能と、この指示情報から搭載機能に対する操作指示を解読する指示解読機能とを有している。有線または無線により、一の無線通信装置１０が、少なくとも一の自動機器ＨＡ１〜ＨＡｎと接続されている。識別情報ＩＤ１〜ＩＤｎは、自動機器ＨＡ１〜ＨＡｎの個数に相当する可変長の簡易符号であればよく、無線通信装置１０の所定領域に記憶されている。送受信機能は、当該無線通信装置１０が、いずれか一の無線通信装置１０について、他の無線通信装置１０として、この一の無線通信装置１０と接続することにより、管理サーバー２０に一の無線通信装置１０の状態情報および指示情報が中継される機能を併有している。
【００３２】
管理サーバー２０は、無線通信装置１０と接続することにより、無線通信回線ＮＷ１を通じて各無線通信装置１０から状態情報を受信し、同じく各無線通信装置１０に指示情報を送信する送受信機能と、各状態情報から自動機器ＨＡ１〜ＨＡｎの動作状態を搭載機能ごとに解読する状態解読機能と、各動作状態に応じた操作指示を搭載機能ごとに設定し、識別情報ＩＤ１〜ＩＤｎと合わせて指示情報に編成する指示情報化機能とを有している。送受信機能は、無線通信装置１０と同様にして、いずれか一の無線通信装置１０の状態情報および指示情報が、他の無線通信装置１０を中継することにより、受信または送信される機能を有している。また、管理サーバー２０のメモリーには、モニター装置ＭＮなどのための表示用マップ２１が設けられており、この表示用マップ２１において、各識別情報ＩＤ１〜ＩＤｎおよび搭載機能ごとに特定の表示位置が設定されている。このような表示用マップ２１をモニター装置ＭＮに表示させることにより、通常運用時において、ユーザーによる監視、操作の便宜を図るとともに、通信中継時には、代替された他の無線通信装置１０の相対位置を把握させている。
【００３３】
次に、本発明の実施の形態に係る機器管理方法を説明する。一例として、一つの自動機器を制御するために、一つの操作が行われる場合の処理について、図２に示す無線通信装置のフローチャート、図３に示す管理サーバーのフローチャートの各一例、図４に示す表示様式の一例および図１に示すブロック図を参照しつつ説明する。
一の無線通信装置１０において、所定の通信設定がなされた状態で、送受信機能により、定期的または随時に、無線通信回線ＮＷ１を通じて管理サーバー２０と接続が試みられる。これは、管理サーバー２０からの通信要求に応答すればよい。以上は前準備であって、まず、たとえば、双方で識別情報を交換して照合することにより、直接に管理サーバー２０と接続できたか否かを判定する（ステップＳＴ１１）。
【００３４】
直接に接続できなかったときに、無線通信装置１０を通信中継モードに切り替えて（ステップＳＴ１２）、他の無線通信装置と接続する（ステップＳＴ１３）。直接に接続できたときは、これら二つの処理（ステップＳＴ１２，１３）をジャンプして実行させない。そして、状態情報化機能および送受信機能により、無線通信回線ＮＷ１を通じて、搭載機能の状態情報を管理サーバー２０に送信する（ステップＳＴ１４）。また、管理サーバー２０から、当該搭載機能の指示情報を受信し（ステップＳＴ１１）、所定の終了処理を行う。
【００３５】
管理サーバー２０においては、図３に示すように、同じく、通信設定済みの状態で、無線通信装置１０との接続が試され、直接に接続できたか否かを判定する（ステップＳＴ２１）。直接に接続できないと、管理サーバー２０を中継受信モードに切り替えて（ステップＳＴ２２）、当該他の無線通信装置と接続して中継させる（ステップＳＴ２３）。直接に接続できると、これら二つの処理（ステップＳＴ２２，２３）をジャンプする。そして、いずれのときも、状態解読機能および送受信機能により、当該搭載機能の状態情報を無線通信装置１０から受信し（ステップＳＴ２４）、また、無線通信装置１０に、当該搭載機能の指示情報を送信する（ステップＳＴ２５）。
【００３６】
さらに、本システムの初期設定、また、モニター装置ＭＮからの表示要求など必要に応じて、表示マップにより、当該他の無線通信装置の識別情報ＩＤ１〜ＩＤｎを中継経路としてモニター装置ＭＮなどに送信する（ステップＳＴ２５）。これにより、その表示画面において、各装置のレイアウト上で可視的に中継経路を把握させる。所定の終了処理を行う。図４に示すモニター装置ＭＮの表示画面９０には、一例として、建築物の一階と二階における各自動機器のレイアウト９１，９２が重ね表示されている。一階のレイアウト９１において、自動機器ＨＡ１〜ＨＡｎと管理サーバー９３のアイコンが表示されている。たとえば、表示されない金属製の衝立Ｐが自動機器ＨＡ１と管理サーバー９３との間に置かれると、自動機器ＨＡ１からの電波信号の電界強度が弱まり、ときには遮蔽される。そこで、隣接する他の自動機器ＨＡ２の無線通信装置１０に中継させて管理サーバー２０と接続している。このときの中継経路（矢印）がレイアウト９１上に明示されている。
【００３７】
【発明の効果】
以上説明したように、請求項１に記載の機器管理システムによれば、機器通信手段と直接に通信できないときに、他の機器通信手段に中継させて間接に管理サーバー手段と接続させる。したがって、電波信号の伝送系路上において電波障害が生じても、自動機器との交信が妨げられることのない機器管理システムを提供できるようになる。
【００３８】
請求項２に記載の機器管理システムによれば、請求項１に記載の発明と同様の効果を得ることができるのは勿論のこと、電波信号の有意な成分が判別できなくなっても他の機器通信手段により中継させることができる。
【００３９】
請求項３に記載の機器管理システムによれば、請求項１または請求項２に記載の発明と同様の効果を得ることができるのは勿論のこと、通常の運用中において、突発的な電波障害にも対処することができる。
【００４０】
請求項４に記載の機器管理システムによれば、請求項１乃至請求項３のいずれかに記載の発明と同様の効果を得ることができるのは勿論のこと、同じく、突発的な電波障害に対処することができる。
【００４１】
請求項５に記載の機器管理システムによれば、請求項１乃至請求項４のいずれかに記載の発明と同様の効果を得ることができるのは勿論のこと、自動機器の多様性に対して融通的に対処でき、かつ、経済性を失わない構成にできる。
【００４２】
請求項６に記載の機器管理方法によれば、機器通信ステップにおいて直接に通信できないときに、他の機器通信ステップで中継させて間接に管理サーバーステップで接続させる。したがって、電波信号の伝送系路上において電波障害が生じても、自動機器との交信が妨げられることのない機器管理方法を提供できるようになる。
【００４３】
請求項７に記載の機器管理方法によれば、請求項６に記載の発明と同様の効果を得ることができるのは勿論のこと、電波信号の有意な成分が判別できなくなっても他の機器通信ステップにおいて中継させることができる。
【００４４】
請求項８に記載の機器管理方法によれば、請求項６または請求項７に記載の発明と同様の効果を得ることができるのは勿論のこと、通常の運用中において、突発的な電波障害にも対処することができる。
【００４５】
請求項９に記載の機器管理方法によれば、請求項６乃至請求項８のいずれかに記載の発明と同様の効果を得ることができるのは勿論のこと、同じく、突発的な電波障害に対処することができる。
【００４６】
請求項１０に記載の機器管理方法によれば、請求項６乃至請求項９のいずれかに記載の発明と同様の効果を得ることができるのは勿論のこと、自動機器の多様性に対して融通的に対処でき、かつ、経済性を失わない構成にできる。
【００４７】
請求項１１に記載のプログラムによれば、請求項６乃至請求項１０のいずれかに記載の機器管理方法をコンピューターにより実行させることができる。
【００４８】
請求項１２に記載の記録媒体によれば、請求項６乃至請求項１０のいずれかに記載の機器管理方法をコンピューターにより実行させることができる。
【図面の簡単な説明】
【図１】本発明の実施の形態に係る機器管理システムの概略構成を説明する図である。
【図２】本発明の実施の形態に係る機器管理方法の工程例を示すもので、図１に示す無線通信装置による送受信の処理について、その工程の一例を示すフローチャートである。
【図３】同、図１に示す管理サーバーによる送受信の処理のフローチャートである。
【図４】同、図１に示すモニター装置における表示様式の一例である。
【符号の説明】
１０  無線通信装置（機器通信手段）
２０  管理サーバー（管理サーバー手段）
２１  表示用マップ
３０  携帯電話機
４０  個人情報端末
５０  監視センター
ＨＡ１〜ＨＡｎ  自動機器
ＩＤ１〜ＩＤｎ  識別情報
ＭＮ  モニター装置
ＮＷ１  ローカルエリアネットワーク
ＮＷ２  インターネット
ＮＷ３  公衆通信回線
【図１】
2005039349.tif 000003
【図２】
2005039349.tif 000004
【図３】
2005039349.tif 000005
【図４】
2005039349.tif 000006